(57)【要約】【課題】重量のある装置を収納保持する梱包箱において、装置を持ち上げて収納及び取り出しを行なわねばならない不便を解消する。【解決手段】装置用梱包箱１において一つの側面２が開放する形状とし、側面２の左右端に折り曲げ自在な耳部１１、１２を設ける。重量のあるモニタ装置１３の収納時、左右２個のスペーサ１４、１５で挟んだ状態で開放した側面２上でＡ方向にスライドさせて収納し、側面２を立ち上げて耳部１１、１２を箱とスペーサ１４、１５の間に挿入する。これにより塵埃の侵入防止及び箱の強度確保ができる。取り出し時には側面２を開放し、モニタ装置１３をスペーサ１４、１５ごとＢ方向にスライドさせればよく、モニタ装置１３を持ち上げて取り出す必要がない。【選択図】　　　図２
2004017974.tif 000002
【特許請求の範囲】
【請求項１】
方形の底部と、四方の側面と、前記各側面の上縁部に折り曲げ自在に設けた四つの上方中蓋とを有し、相対する二方の前記側面の内側にそれぞれ装着した緩衝部材を介して内部に重量のある装置を収納保持する装置用梱包箱であって、前記側面の一つが隣接する二つの側面とは分離し前記底部とは折り曲げ自在に連結してなり且つ前記隣接する二つの側面と分離した二つの端縁にそれぞれ耳部を折り曲げ自在に連設して開放側面を形成することを特徴とする装置用梱包箱。
【請求項２】
前記開放側面が前記装置の両側に存在する前記緩衝部材に対し直交する方向に開放することを特徴とする請求項１記載の装置用梱包箱。
【請求項３】
前記開放側面が前記装置の両側に存在する前記緩衝部材に対し直面する方向に開放することを特徴とする請求項１記載の装置用梱包箱。
【請求項４】
前記開放側面は他の三つの側面の上縁部の前記上方中蓋を開かなければ開かないようになっていることを特徴とする請求項１ないし３のいずれかに記載の装置用梱包箱。
【請求項５】
前記緩衝部材は前記装置の上部から下部に亘り一体化して形成されたものであることを特徴とする請求項１ないし４のいずれかに記載の装置用梱包箱。
【請求項６】
前記緩衝部材に取り出し用の手掛け部を有することを特徴とする請求項１ないし５のいずれかに記載の装置用梱包箱。
【請求項７】
前記重量のある装置がＣＲＴモニタなどの表示装置であることを特徴とする請求項１ないし６のいずれかに記載の装置用梱包箱。
【発明の詳細な説明】
【０００１】
【発明の属する技術分野】
本発明は装置用梱包箱に関し、特に重量のある装置、例えばＣＲＴモニタなどの表示装置の梱包箱として好適な装置用梱包箱に関する。
【０００２】
【従来の技術】
従来、この種の装置用梱包箱は、上面のみが開放された箱型のものが大部分使用されている。従来の装置用梱包箱の一例を図５に斜視図にて示す。
【０００３】
図５に示すように、装置用梱包箱２１は段ボールなどの素材からなり、底部２６に対し四方から側面２２、２３、２４、２５が立ち上がって箱型に形成され、各側面の上縁部から中蓋２７、２８、２９、３０がそれぞれ折り曲げ自在に連設される。この箱型の装置用梱包箱２１内にモニタ装置３１を収納して梱包するものとする。梱包する手順としては、緩衝部材である４個のスペーサ３２、３３、３４、３５を用意し、まずスペーサ３２、３３を装置用梱包箱２１の底部２６まで入れ、次にモニタ装置３１を入れた後に残りのスペーサ３４、３５を入れ、最後に中蓋２７、２８、２９、３０を折り曲げて全体の蓋を閉めて封をする。
【０００４】
また、収納したモニタ装置３１を装置用梱包箱２１内から取り出す開梱時には、中蓋２７、２８、２９、３０を開けてスペーサ３４、３５を取り外した後、モニタ装置３１自体を持ち上げて取り出す。
【０００５】
また近年、梱包箱の小型化及び原価低減を図るために、緩衝部材であるスペーサを左右２個の形態とすることが主流となっている。この場合の梱包手順を図６に示す。
【０００６】
図６に示すように、緩衝部材としてモニタ装置３１の上部から下部までに亘り一体化された左右２個のスペーサ３６、３７が用いられる。このスペーサ３６、３７でモニタ装置３１を左右から挟み、挟んだ状態のまま装置用梱包箱２１内に収納して中蓋２７、２８、２９、３０を閉める。また装置用梱包箱２１内から取り出す開梱時には、中蓋を開け、スペーサ３６、３７でモニタ装置３１を挟んだままの状態で持ち上げて取り出す。
【０００７】
【発明が解決しようとする課題】
上述したように従来の装置用梱包箱は、上面のみが開放された箱型のものが多く使用されている。このような装置用梱包箱においては、図５、図６に示すように、梱包されている装置（製品）を取り出す際には、いずれにしても装置（製品）自体を持ち上げて取り出さなければならない。ＣＲＴモニタ装置などの表示装置は外形が大きく、また重量も重いため、持ち上げて取り出す場合には非常に取り出しにくい。
【０００８】
図５のようにスペーサが装置の上部と下部で分かれているものでは、上部のスペーサを単体で取り外した後に装置を持ち上げて取り出すので、取り出しにくさも多少は軽減される。
【０００９】
しかし、図６のようにスペーサが装置の上部から下部まで一体化されているものにおいては、開梱時、装置（製品）とスペーサを同時に持ち上げなければ取り出せないため、取り出しにくさは非常に大きくなる。さらに、落下させて装置（製品）を破損したり、怪我をするなどの危険性が高くなる。
【００１０】
本発明の目的は、上記従来の問題点を解消し、重量のある装置（製品）を収納保持する梱包箱において、収納及び取り出しが容易に行える装置用梱包箱を提供することにある。
【００１１】
【課題を解決するための手段】
本発明の装置用梱包箱は、方形の底部と、四方の側面と、前記各側面の上縁部に折り曲げ自在に設けた四つの上方中蓋とを有し、相対する二方の前記側面の内側にそれぞれ装着した緩衝部材を介して内部に重量のある装置を収納保持する装置用梱包箱であって、前記側面の一つが隣接する二つの側面とは分離し前記底部とは折り曲げ自在に連結してなり且つ前記隣接する二つの側面と分離した二つの端縁にそれぞれ耳部を折り曲げ自在に連設して開放側面を形成することを特徴とする。
【００１２】
この装置用梱包箱において、前記開放側面が前記装置の両側に存在する前記緩衝部材に対し直交する方向に開放するもの、あるいは前記開放側面が前記装置の両側に存在する前記緩衝部材に対し直面する方向に開放するものとなっている。
【００１３】
またこの装置用梱包箱において、前記開放側面は他の三つの側面の上縁部の前記上方中蓋を開かなければ開かないようになっている。
【００１４】
さらにこの装置用梱包箱において、前記緩衝部材は前記装置の上部から下部に亘り一体化して形成されたものであり、また前記緩衝部材に取り出し用の手掛け部を有することが好ましい。
【００１５】
このような本発明においては、装置用梱包箱の一つの側面を開放する形態とすることにより、重量のある装置（製品）の収納及び取り出しが容易に行えることとなる。
【００１６】
【発明の実施の形態】
次に、本発明について図面を参照して説明する。
【００１７】
図１は本発明の実施の形態の装置用梱包箱を示す斜視図、図２は装置用梱包箱に対する装置の収納途中及び取り出し途中の状態の斜視図、図３は装置用梱包箱に対する装置の収納状態を示す斜視図、図４は装置用梱包箱に対する装置の収納状態の他の実施例を示す斜視図である。
【００１８】
図１を参照すると、この実施の形態の装置用梱包箱１は、一つの側面が開放するような形状となっている。即ち、段ボールなどの素材からなる装置用梱包箱１は、方形の底部６に対し三方から側面３、４、５が立ち上がって略箱型に形成され、残る一つの側面２は隣接する二つの側面３、４とは分離し且つ底部６の一端縁２ａと折り曲げ自在に連設してなっている。これにより、側面２は端縁２ａを支点として開閉自在な形状となっている。
【００１９】
また、側面３、４と分離した部分の側面２の端縁２ｂ、２ｃにはそれぞれ耳部１１、１２が折り曲げ自在に連設されており、さらに各側面２、３、４、５の上縁部にはそれぞれ中蓋７、８、９、１０が折り曲げ自在に設けられている。
【００２０】
耳部１１、１２を端縁２ｂ、２ｃで直角に折り曲げた状態で端縁２ａを支点に側面２を立ち上げたとき、耳部１１、１２が側面３、４の内側に沿って入り込むようにし、中蓋７、８、９、１０を閉めることにより装置用梱包箱１は完全な箱型を形成する。逆に言えば、側面２を図１のように開放するとき、中蓋８、９、１０が閉めてあると耳部１１、１２が引っかかって開けず、中蓋８、９、１０を開いて初めて側面２を開放することができる構成となる。
【００２１】
このような構成の装置用梱包箱１に対して、重量のある装置を収納する状態及び取り出し時の状態の動作について図２及び図３を参照して説明する。重量のある装置として、表示装置の一つであるモニタ装置１３を例示する。
【００２２】
モニタ装置１３を装置用梱包箱１内に収納するに際して、装置用梱包箱１の内側とモニタ装置１３の間に緩衝部材として発泡スチロールなどからなるスペーサ１４、１５を介在させる。スペーサ１４、１５はそれぞれモニタ装置１３の上部から下部までに亘り一体化して形成されている。またスペーサ１４、１５の一端には収納及び取り出しを容易にするための手掛け部１６を有する。
【００２３】
図２に示すように、スペーサ１４、１５でモニタ装置１３を左右から挟み、挟んだ状態のまま開放した側面２の上に置き、矢印Ａの方向に全体をスライドさせて押し、装置用梱包箱１内に収納して行く。図から分かるように、スペーサ１４、１５の長手方向が装置用梱包箱１の側面３、４の内側に沿って入って行く。押し込みが終了すると図３に示す状態となる。
【００２４】
図３に示すようにスペーサ１４、１５とモニタ装置１３の装置用梱包箱１内への押し込みが終了したあと、開放した側面２の耳部１１、１２を直角に折り曲げ、側面２を立ち上げて行くと、耳部１１、１２はそれぞれ側面３とスペーサ１４の間及び側面４とスペーサ１５の間に挿入して行く。側面２の立ち上げが完了すると、耳部１１、１２は側面３及び側面４の内側に格納された状態となる。次に中蓋７、８、９、１０を閉めることにより、モニタ装置１３が装置用梱包箱１内に収納された梱包状態となる。
【００２５】
このように梱包状態の際には、側面２の耳部１１、１２は側面３、４の内側に格納され、モニタ装置１３及び中蓋７、８、９、１０によって固定された格好となるため、装置用梱包箱１全体の強度を確保することができ、さらに側面２が開放する形状にも関わらず耳部１１、１２により装置用梱包箱１内へのごみや塵埃の侵入を防止することができ、内部に収納するモニタ装置１３などの重量製品の品質維持の点においても問題ない構造となる。
【００２６】
次に、収納梱包状態のモニタ装置１３を装置用梱包箱１から取り出す動作について説明する。まず梱包箱上部の中蓋７、８、９、１０を開き、側面２を開放する。即ち上述したように、側面２の耳部１１、１２はモニタ装置１３及び中蓋８、９、１０によって固定された格好となっているため、中蓋８、９、１０を開かなければ側面２が開かない構造となっている。
【００２７】
側面２を開放して図３に示す状態から、図２の矢印Ｂで示す方向にモニタ装置１３及びスペーサ１４、１５の全体をスライドさせて装置用梱包箱１から引き出す。このときスペーサ１４、１５に設けた手掛け部１６を掴んで引き出すことにより、取り出しが容易に行える。
【００２８】
このように、スペーサ１４、１５のような上下一体型のスペーサを用いた梱包状態であっても、収納されたモニタ装置１３を装置用梱包箱１の上まで持ち上げることなく、側面２の開放部分からスペーサ１４、１５ごとスライドさせて引き出す作業を行うことが可能となり、重量のある装置（製品）を容易に取り出すことができる。
【００２９】
図４には装置用梱包箱に対する装置の収納状態の他の例を示す。上述した実施の形態では、図３の如く装置用梱包箱１内のスペーサ１４、１５の長手方向に対し直交する方向に側面２が開放する場合を例示したが、図４ではそれと９０度異なる収納状態を例示する。
【００３０】
図４に示すように、スペーサ１４、１５でモニタ装置１３を左右から挟んだ状態で開放した側面２の上から装置用梱包箱１内に収納するが、収納する向きを９０度廻し、スペーサ１４あるいはスペーサ１５の長手方向（広い面）側が開放した側面２に相対するように収納するものである。側面２を立ち上げると左右の耳部１１、１２は装置用梱包箱１の側面３、４とスペーサ１４、１５との間に挿入して行く。スペーサ１４、１５の端部の数箇所に設けた手掛け部１７、１８を掴むことにより、収納及び取り出しの作業が容易に行える。
【００３１】
【発明の効果】
上述したように本発明は、重量のある装置（製品）を収納保持する装置用梱包箱において以下のような効果を有する。
【００３２】
第１の効果は、梱包箱の一つの側面を開放側面とする構成により、ＣＲＴモニタを代表とする表示装置など、外形が大きく、重量の重い装置（製品）でも、梱包箱から持ち上げることなく、スライドさせて容易に取り出すことが可能であり、落下による怪我や装置破損が防止でき、力のない人でも取り出し作業が容易に行えることである。逆に、収納梱包時においても重量のある装置を持ち上げることなく、スライド式に容易に梱包箱内への収納が行えることである。
【００３３】
第２の効果は、装置の梱包形態がいかなる状態でも容易に収納及び取り出しが可能であるため、緩衝部材であるスペーサの形状設計が容易となることである。これにより梱包箱の小型化及び原価低減がはかれる。
【００３４】
第３の効果は、一つの側面が開放する形態にも関わらず、開放側面の左右に耳部を設けることにより、内部へのごみや塵埃の侵入を防止することができ、従来の梱包箱と比べても品質的に変わらないことである。また収納梱包時、耳部が装置や中蓋で固定されるため、強度的にも問題がなく、テープや紐等による追加固定の必要がないことである。
【図面の簡単な説明】
【図１】本発明の実施の形態の装置用梱包箱を示す斜視図である。
【図２】装置用梱包箱に対する装置の収納途中及び取り出し途中の状態を示す斜視図である。
【図３】装置用梱包箱に対する装置の収納状態を示す斜視図である。
【図４】装置用梱包箱に対する装置の収納状態の他の実施例を示す斜視図である。
【図５】従来の装置用梱包箱の一例を示す斜視図である。
【図６】従来の装置用梱包箱の他の例を示す斜視図である。
【符号の説明】
１、２１　　装置用梱包箱
２、３、４、５、２２、２３、２４、２５　　側面
２ａ、２ｂ、２ｃ　　端縁
６、２６　　底部
７、８、９、１０、２７、２８、２９、３０　　中蓋
１１、１２　　耳部
１３、３１　　モニタ装置
１４、１５、３２、３３、３４、３５、３６、３７　　スペーサ
１６、１７、１８　　手掛け部
【図１】
2004017974.tif 000003
【図２】
2004017974.tif 000004
【図３】
2004017974.tif 000005
【図４】
2004017974.tif 000006
【図５】
2004017974.tif 000007
【図６】
2004017974.tif 000008